(57)【特許請求の範囲】
【請求項１】
被処理体をガス供給系及びガス排気系を備えた１又は２以上の移載室内を介して，少なくとも前記移載室に接続された１又は２以上の真空処理室内に搬送するように構成された真空処理装置において，
前記ガス供給系に１又は２以上のバルブ手段を介して１又は２以上のガス充填室を介挿し，所定の前記移載室内を所定の目標圧力雰囲気にまで昇圧させるに際して，前記ガス充填室内に前記所定の目標圧力雰囲気に応じて設定される所定体積，所定圧力及び所定温度のガスを待機させ，所定のトリガ信号に応じて前記バルブ手段を開放するように構成したことを特徴とする，真空処理装置。
【請求項２】
被処理体をガス供給系及びガス排気系を備えた１又は２以上の移載室内を介して，少なくとも前記移載室に接続された１又は２以上の真空処理室内に搬送するように構成された真空処理装置において，
前記ガス供給系に１又は２以上のバルブ手段を介して１又は２以上のガス充填室を介挿し，所定の前記移載室を所定の目標圧力雰囲気にまで所定の目標時間内に昇圧させるに際して，前記ガス充填室内に前記所定の目標圧力雰囲気及び前記所定の目標時間に応じて設定される所定体積，所定圧力及び所定温度のガスを待機させ，所定のトリガ信号に応じて前記バルブ手段を開放するように構成したことを特徴とする，真空処理装置。
【請求項３】
それぞれ異なる体積，圧力及び温度に設定された複数のガス充填室が複数のバルブ手段を介して接続され，昇圧対象である前記移載室で要求される所定の目標圧力雰囲気に応じて選択された前記ガス充填室から所定のガスが供給されることを特徴とする，請求項１又は２に記載の真空処理装置。
【請求項４】
それぞれ異なる体積，圧力及び温度に設定された複数のガス充填室が複数のバルブ手段を介して接続され，昇圧対象である前記移載室で要求される所定の目標時間に応じて選択された前記ガス充填室から所定のガスが供給されることを特徴とする，請求項２に記載の真空処理装置。
【請求項５】
前記バルブ手段の切り換えにより，選択された前記ガス充填室と選択された前記移載室とを自在に接続可能であることを特徴とする，請求項１，２，３又は４のいずれかに記載の真空処理装置。
【請求項６】
前記所定の目標時間は，搬送アームの動作に応じて決定されるものであることを特徴とする，請求項２，３，４又は５のいずれかに記載の真空処理装置。
【請求項７】
前記所定の目標圧力雰囲気は，６６．７Ｐａ以下に設定されることを特徴とする，請求項１，２，３，４，５又は６のいずれかに記載の真空処理装置。
【請求項８】
前記移載室内が所定の圧力雰囲気に到達した時点で，前記移載室内に所定量の圧力調整用ガスを供給することを特徴とする，請求項１，２，３，４，５，６又は７のいずれかに記載の真空処理装置。
【請求項９】
前記移載室内の圧力雰囲気は，前記ガス供給系に介挿されたレギュレータの調整により設定されることを特徴とする，請求項１，２，３，４，５，６，７又は８のいずれかに記載の真空処理装置。
【請求項１０】
前記移載室内の圧力雰囲気は，前記ガス供給系に介挿された流量調整バルブの開度を調整することにより，一定に維持されることを特徴とする，請求項１，２，３，４，５，６，７，８又は９のいずれかに記載の真空処理装置。
【請求項１１】
前記流量調整バルブの開度は，前記移載室内の圧力に応じて常時調整されることを特徴とする，請求項１，２，３，４，５，６，７，８，９又は１０のいずれかに記載の真空処理装置。
【請求項１２】
前記流量調整バルブの開度は，処理開始前に予め調整され，処理時には一定の開度に固定されることを特徴とする，請求項１，２，３，４，５，６，７，８，９又は１０のいずれかに記載の真空処理装置。
【請求項１３】
被処理体をガス供給系及びガス排気系を備えた１又は２以上の移載室内を介して，少なくとも前記移載室に接続された１又は２以上の真空処理室内に搬送するように構成された真空処理装置内の前記移載室の圧力調整方法であって：
前記ガス供給系に１又は２以上のバルブ手段を介して１又は２以上のガス充填室を介挿し，所定の前記移載室内を所定の目標圧力雰囲気にまで昇圧させるに際して，前記ガス充填室内に前記所定の目標圧力雰囲気に応じて設定される所定体積，所定圧力及び所定温度のガスを待機させ，
所定のトリガ信号に応じて前記バルブ手段を開放することにより前記移載室内の圧力を調整する圧力調整方法。
【請求項１４】
被処理体をガス供給系及びガス排気系を備えた１又は２以上の移載室内を介して，少なくとも前記移載室に接続された１又は２以上の真空処理室内に搬送するように構成された真空処理装置内の前記移載室の圧力調整方法であって：
前記ガス供給系に１又は２以上のバルブ手段を介して１又は２以上のガス充填室を介挿し，所定の前記移載室を所定の目標圧力雰囲気にまで所定の目標時間内に昇圧させるに際して，前記ガス充填室内に前記所定の目標圧力雰囲気及び前記所定の目標時間に応じて設定される所定体積，所定圧力及び所定温度のガスを待機させ，
所定のトリガ信号に応じて前記バルブ手段を開放することにより前記移載室内の圧力を調整する圧力調整方法。
【請求項１５】
それぞれ異なる体積，圧力及び温度に設定された複数のガス充填室が複数のバルブ手段を介して接続され，昇圧対象である前記移載室で要求される所定の目標圧力雰囲気に応じて選択された前記ガス充填室から所定のガスが供給されることを特徴とする，請求項１３又は１４に記載の圧力調整方法。
【請求項１６】
それぞれ異なる体積，圧力及び温度に設定された複数のガス充填室が複数のバルブ手段を介して接続され，昇圧対象である前記移載室を所定の目標圧力雰囲気にまで昇圧させるために要求される所定の目標時間に応じて選択された前記ガス充填室から所定のガスが供給されることを特徴とする，請求項１４に記載の圧力調整方法。
【請求項１７】
前記バルブ手段の切り換えにより，選択された前記ガス充填室と選択された前記移載室とを自在に接続可能であることを特徴とする，請求項１３，１４，１５又は１６のいずれかに記載の圧力調整方法。
【請求項１８】
前記所定の目標時間は，搬送アームの動作に応じて決定されるものであることを特徴とする，請求項１４又は１６に記載の圧力調整方法。
【請求項１９】
前記所定の目標圧力雰囲気は，６６．７Ｐａ以下に設定されることを特徴とする，請求項１３，１４，１５又は１６のいずれかに記載の圧力調整方法。
【発明の詳細な説明】
【０００１】
【発明の属する技術分野】
本発明は，真空処理装置及び圧力調整方法に関する。
【０００２】
【従来の技術】
従来より，半導体製造工程においては，共通移載室を中心として，その周囲に各種真空処理室やカセット室が接続された，いわゆるクラスタ装置化されたマルチチャンバ方式の処理装置が使用されている。かかる処理装置においては，例えば共通移載室内に備えられた搬送アームにより，カセット室内に収容されたカセットから被処理体を共通移載室内に搬送する。次いで，搬送アームの作動により，被処理体を所定の真空処理室内等に搬入する。そして，被処理体は，搬送アームによって順次各種真空処理室内に搬送され，例えばエッチング処理，スパッタ処理又はＣＶＤ処理等を施された後，搬送アームにより共通移載室を介して再びカセット内に戻される構成となっている。また，当該装置に係る共通移載室，各種真空処理室又はカセット室等には，例えばそれぞれに対応するガス供給系及びガス排気系が接続されており，それら各室内を各々任意の圧力雰囲気にすることが可能なように構成されている。
【０００３】
ここで，例えば，被処理体を共通移載室を介して，一の真空処理室から他の真空処理室に搬送する際に，共通移載室内のガスを置換する場合を例に挙げて，共通移載室内の圧力雰囲気の昇圧構成について説明する。まず，一の真空処理室と共通移載室との間に設けられている一のゲートバルブが開放され，共通移載室内に配置されている搬送アームにより，被処理体が一の真空処理室内から共通移載室内に搬送される。次いで，一のゲートバルブが閉じられると共に，搬送アームが作動して他の真空処理室と共通移載室との間に設けられている他のゲートバルブ方向に被処理体を移動させる。同時に，ガス排気系に接続されているガス排気機構を作動させたまま，ガス供給系に介挿されている開閉バルブ及び可変流量バルブが閉じられる。その結果，共通移載室内は，所定の圧力雰囲気，例えば共通移載室内に存在し，被処理体に悪影響を与える各種ガスを外部に排気することができる程度の圧力雰囲気にまで減圧される。
【０００４】
さらに，他のゲートバルブが開放されるまでに，開閉バルブが開放され，所定のガス，例えばパージ用ガスが共通移載室内に供給されると共に，可変流量バルブの開度が調整され，例えば共通移載室内の圧力雰囲気が他の真空処理室内の圧力雰囲気と略同一又はそれ以上になるまで昇圧された後，その圧力雰囲気が維持される。次いで，他のゲートバルブが開放された後，搬送アームの作動によって被処理体が他の真空処理室内に搬入される構成となっている。このように，共通移載室内は，反応性ガスやパーティクル等が実質的に存在しない，常時所望の状態に保たれる構成となっている。
【０００５】
【発明が解決しようとする課題】
ところで，スループットの向上には，共通移載室内の昇圧速度を向上させて，被処理体の搬送サイクルを短縮することが必要である。しかしながら，上述した構成では，開閉バルブの開放と同時に共通移載室内に供給可能なガスの供給量に自ずと限界が生じ，この限界によって共通移載室内での昇圧速度を向上させることが困難となる場合がある。従って，その昇圧に要する時間を短縮し，スループットの向上を図るべく，ガス供給系の改良が技術的要求項目の１つとして挙げられている。
【０００６】
本発明は，従来の技術が有する上記のような問題点に鑑みて成されたものであり，移載室に接続されたガス供給系に１又は２以上のバルブ手段を介して１又は２以上のガス充填室を介挿すると共に，ガス充填室内に所定のガスを待機させ，所定のトリガ信号に応じてバルブ手段を開放する構成としたことにより，例えば移載室内のパーティクルを巻き上げることなく，移載室内を所定の目標時間内で所定の目標圧力雰囲気にまで瞬時に昇圧させることが可能な，新規かつ改良された真空処理装置及び圧力調整方法を提供することを目的としている。
【０００７】
【課題を解決するための手段】
本発明は，被処理体をガス供給系及びガス排気系を備えた１又は２以上の移載室内を介して，少なくとも移載室に接続された１又は２以上の真空処理室内に搬送するように構成された真空処理装置に適用されるものである。そして，請求項１に記載の発明によれば，ガス供給系に１又は２以上のバルブ手段を介して１又は２以上のガス充填室を介挿し，所定の移載室内を所定の目標圧力雰囲気にまで昇圧させるに際して，ガス充填室内に所定の目標圧力雰囲気に応じて設定される所定体積，所定圧力及び所定温度のガスを待機させ，所定のトリガ信号に応じて前記バルブ手段を開放するように構成したことを特徴としている。
【０００８】
かかる構成によれば，所定のトリガ信号に応じてバルブ手段を開放することにより，ガス充填室内に待機していた所定のガスを短時間で移載室内に供給し，移載室内を短時間に所定の目標圧力雰囲気にまで昇圧させることができる。その結果，例えば移載室内での被処理体の搬送中に，移載室内のガスを置換する場合でも，移載室内の昇圧が速やかに行われ，被処理体の搬送に影響を与えないため，スループットを向上させることができる。また，例えば移載室内を介して被処理体を，例えば相対的に低い圧力雰囲気の一の真空処理室内から相対的に高い圧力雰囲気の他の真空処理室内に搬送する場合でも，被処理体の搬送中に，移載室内を瞬時に他の処理室内の圧力雰囲気と実質的に同じ圧力雰囲気にまで昇圧させることができる。
【０００９】
また，請求項２に記載の発明によれば，上述した真空処理装置において，ガス供給系に１又は２以上のバルブ手段を介して１又は２以上のガス充填室を介挿し，所定の移載室を所定の目標圧力雰囲気にまで所定の目標時間内に昇圧させるに際して，ガス充填室内に所定の目標圧力雰囲気及び所定の目標時間に応じて設定される所定体積，所定圧力及び所定温度のガスを待機させ，所定のトリガ信号に応じてバルブ手段を開放するように構成したことを特徴としている。
【００１０】
かかる構成によれば，ガス充填室に連通するバルブ手段を開放するのみで，あらかじめ設定した時間内に，移載室内を目標圧力雰囲気にまで昇圧させることができる。その結果，例えば移載室内の昇圧に要する時間をほとんど考慮することなく，被処理体の搬送工程を設定することができる。
【００１１】
また，請求項３に記載の発明によれば，それぞれ異なる体積，圧力及び温度に設定された複数のガス充填室が複数のバルブ手段を介して接続され，昇圧対象である移載室で要求される所定の目標圧力雰囲気に応じて選択されたガス充填室から所定のガスが供給されることを特徴としている。かかる構成によれば，例えば移載室に複数の真空処理室が接続され，かつそれら各真空処理室内が各々異なる圧力雰囲気である場合には，被処理体の搬送先の真空処理室内の圧力雰囲気に応じて，各々に対応したガス充填室から適宜所望の状態のガスを供給することができる。
【００１２】
さらに，請求項４に記載の発明によれば，それぞれ異なる体積，圧力及び温度に設定された複数のガス充填室が複数のバルブ手段を介して接続され，昇圧対象である移載室で要求される所定の目標時間に応じて選択されたガス充填室から所定のガスが供給されることを特徴としている。かかる構成によれば，所定の目標時間内に，適宜所定のガス充填室内から所定のガスを移載室内に供給することができる。その結果，例えば移載室内での被処理体の搬送時のみで，移載室内を所望の圧力雰囲気にまで昇圧させることが可能となり，より一層のスループットの向上を図ることができる。
【００１３】
また，請求項５に記載の発明によれば，バルブ手段の切り換えにより，選択されたガス充填室と選択された移載室とを自在に接続可能であることを特徴としている。かかる構成によれば，バルブ手段の切り替えのみで，移載室内の圧力雰囲気の昇圧を常時所望の状態で行うことができる。
【００１４】
また，請求項６に記載の発明によれば，所定の目標時間は，例えば移載室内又は移載室外部に備えられた搬送アームの動作に応じて決定されるものであることを特徴としている。かかる構成によれば，被処理体の搬送の中核を成す搬送アームの動作に基づいて，その作動に連動して目標時間が設定することができるため，例えば被処理体の搬送中のみで移載室内の圧力雰囲気の昇圧を常時正確かつ所望の状態で行うことができる。
【００１５】
さらに，請求項７に記載の発明によれば，目標圧力雰囲気は，６６．７Ｐａ以下に設定されることを特徴としている。ところで，本願発明のように，移載室内での昇圧速度を上げた場合には，例えば移載室内のパーティクルの巻き上げが問題となる場合がある。しかし，発明者らの知見によれば，目標圧力雰囲気を６６．７Ｐａ以下に設定することにより，その昇圧速度を上げた場合でも，移載室内のパーティクルは重力に逆らって舞い上がることができないため，被処理体にパーティクルが付着することがない。
【００１６】
さらに，請求項８に記載の発明によれば，移載室内が所定の圧力雰囲気に到達した時点で，移載室内に所定の量の圧力調整用ガスを供給することを特徴としている。かかる構成によれば，移載室内が所定の目標圧力雰囲気に達した後，または別に設定した圧力雰囲気に達した後に，移載室内に圧力調整用ガスを供給することができる。その結果，昇圧後の移載室内の圧力雰囲気を，所望の一定状態に維持することができる。
【００１７】
また，請求項９に記載の発明によれば，移載室内の圧力雰囲気は，ガス供給系に介挿されたレギュレータの調整により設定されることを特徴としている。従って，移載室内の圧力雰囲気を正確かつ確実に調整し，所望の圧力雰囲気に維持することができる。なお，本明細書中において，レギュレータとは，ガス供給系におけるガス供給源側（１次側）と移載室側（２次側）との圧力を主に調整する部材を言うものとする。
【００１８】
また，請求項１０に記載の発明によれば，移載室内の圧力雰囲気は，ガス供給系に介挿された流量調整バルブの開度を調整することにより，一定に維持されることを特徴としている。従って，移載室内の圧力雰囲気の微調整が可能となり，移載室内を常時所望の一定圧力雰囲気に維持することができる。なお，本明細書中において，流量調整バルブとは，上述した１次側と２次側との流量を主に調整する部材を言うものとする。
【００１９】
さらに，請求項１１に記載の発明によれば，流量調整バルブの開度は，移載室内の圧力に応じて常時調整されることを特徴としている。従って，移載室内の圧力雰囲気に変化が生じた場合でも，その変化に瞬時に対応して移載室内の圧力を所望の圧力雰囲気に維持することができる
【００２０】
また，請求項１２に記載の発明によれば，流量調整バルブの開度は，処理開始前に予め調整され，処理時には一定の開度に固定されることを特徴としている。従って，流量調整バルブの開度調整を常時調整する手段を真空処理装置に備える必要がないため，装置構成が容易となる。
また，請求項１３に記載の発明によれば，１又は２以上の真空処理室と，真空処理室に接続された１又は２以上の移載室と，移載室に所定のガスを供給するガス供給系と，１又は２以上のバルブ手段を介してガス供給系に介挿されて移載室に供給されるガスを待機させるガス充填室とを備えた真空処理装置の圧力調整方法であって，移載室内を第１圧力雰囲気に設定する工程と，所定のガスを前記ガス充填室に供給し，ガス充填室内を移載室に設定される第２圧力雰囲気より高い第３圧力雰囲気に設定する工程と，ガス充填室内の所定のガスを移載室内に導き，移載室内を第１圧力雰囲気よりも高い第２圧力雰囲気に設定する工程とを含むことを特徴としている。
【００２１】
【発明の実施の形態】
以下に添付図面を参照しながら，本発明に係る真空処理装置をクラスタツール化されたマルチチャンバ型の真空処理装置に適用した実施の一形態について詳細に説明する。なお，以下の説明において，略同一の機能及び構成を有する構成要素については，略同一の符号を付することにより，重複説明を省略することとする。
【００２２】
まず，第１の実施の形態について，図１〜３を参照しながら説明する。図１には，本実施の形態に係る真空処理装置１００が図示されており，共通移載室１０２を中心として，例えば３つの真空処理室１０４ａ，１０４ｂ，１０４ｃと，例えば２つのカセット室１０６ａ，１０６ｂとが，その共通移載室１０２の周囲に配置されている。また，真空処理室１０４ａ〜１０４ｃと，カセット室１０６ａ，１０６ｂとは，それぞれに対応するゲートバルブＧ１，Ｇ２，Ｇ３，Ｇ４，Ｇ５を介して，各々共通移載室１０２に連通するように接続される構成となっている。
【００２３】
真空処理室１０４ａ〜１０４ｃは，被処理体，例えば半導体ウェハ（以下，「ウェハ」と称する。）Ｗの被処理面に所定の処理を連続して施すための装置の集合体で，例えばエッチング装置やスパッタ装置やＣＶＤ装置等から構成されている。また，真空処理室１０４ａ〜１０４ｃは，気密に構成されていると共に，真空処理室１０４ａ〜１０４ｃには，それぞれに対応する不図示のガス供給系，および例えばターボ分子ポンプから成る真空引き機構Ｐ１１０ａ，１１０ｂ，１１０ｃ（図２を参照。）が接続されている。従って，真空処理室１０４ａ〜１０４ｃ内は，各種装置構成又は各種処理に応じて，所望の圧力雰囲気に適宜調整可能なように構成されている。
【００２４】
また，カセット室１０６ａ，１０６ｂは，気密に構成されている共に，その内部に例えば２５枚のウェハＷを同時に載置可能なカセット１０８を収容可能なように構成されている。また，カセット室１０６ａ，１０６ｂのカセット１０８の搬入出側には，それぞれに対応するゲートバルブＧ６，Ｇ７が設けられている。さらに，カセット室１０６ａ，１０６ｂには，不図示のガス供給系及び真空引き機構が接続されている。従って，カセット室１０６ａ，１０６ｂは，それぞれに対応するゲートバルブＧ４及びＧ６，またはＧ５及びＧ７を閉じることによって，その内部を適宜所望の圧力雰囲気に調整可能なように構成されている。
【００２５】
また，共通移載室１０２は，気密に構成されていると共に，共通移載室１０２内には，例えば多関節アームから成る搬送アーム１１２が設けられている。この搬送アーム１１２は，共通移載室１０２内を介して，ウェハＷをカセット室１０６ａ，１０６ｂ内及び真空処理室１０４ａ〜１０４ｃ内との間で適宜搬送可能な位置に配置されている。また，搬送アーム１１２は，不図示の駆動機構が接続されていると共に，この駆動機構の作動により，搬送アーム１１２は適宜所望の運動を行うように構成されている。
【００２６】
次に，共通移載室１０２におけるガスの供給系及び排気系の構成について図２を参照しながら説明する。共通移載室１０２には，ガス供給経路１１４が接続されていると共に，このガス供給経路１１４には，開閉バルブ１１６，本実施の形態に係るガス充填室１１８，流量調整バルブ１２０，レギュレータ１２２が順次介挿されている。さらに，ガス供給経路１１４は，それら各部材を介して，不活性ガス，例えばＡｒを１．５ｋｇ／ｃｍ2の圧力雰囲気でガス供給経路１１４に供給可能なガス供給源１２４に接続されている。また，共通移載室１０２には，ガス排気経路１２６が接続されていると共に，このガス排気経路１２６は，例えばターボ分子ポンプから成る真空引き機構Ｐ１２８に接続されている。
【００２７】
さらに，共通移載室１０２には，この共通移載室１０２内の圧力雰囲気を常時測定可能な圧力センサ１３０が接続されている。そして，開閉バルブ１１６，流量調整バルブ１２０及び圧力センサ１３０には，制御器１３２が接続されている。従って，圧力センサ１３０等からの各種信号に基づいて，制御器１３２により，開閉バルブ１１６又は流量調整バルブ１２０の開閉又は開度が制御される構成となっている。
【００２８】
また，本実施の形態にかかるガス充填室１１８内の圧力雰囲気は，レギュレータ１２２の仕様や構成等により設定される。従って，ガス充填室１１８内の圧力雰囲気の調整や設定変更を行う場合には，レギュレータ１２２の仕様を変更若しくは交換する構成となっている。なお，図２に示した真空処理装置１００においては，カセット室１０６ａ，１０６ｂ等を省略して図示したが，図１に示したものと略同一の構成であることは言うまでもない。
【００２９】
ここで，本実施の形態に係る共通移載室１０２内の圧力雰囲気の調整について，ウェハＷを例えば共通移載室１０２内を介して真空処理室１０４ａから真空処理室１０４ｂへ搬送する際に，共通移載室１０２内のガスを置換する場合を例に挙げて説明する。真空処理室１０４ａ内で所定の処理を施されたウェハＷは，ゲートバルブＧ１が開放された後，真空処理室１０４ａ内から搬送アーム１１２によって共通移載室１０２内に搬送される。この際，共通移載室１０２内は，ガス供給源１２４から所定量の不活性ガスが供給され，かつ真空引き機構Ｐ１２８によって所定の真空引きがなされている。従って，共通移載室１０２内は，真空処理室１０４ａ内の圧力雰囲気と実質的に同一，例えば１３．３Ｐａに維持されている。また，真空処理室１０４ａ内が真空引き機構Ｐ１１０ａにより真空引きされている場合でも，制御器１３２により流量調整バルブ１２０の開度が常時調整されているため，共通移載室１０２内の圧力雰囲気は，所望の一定状態に維持される構成となっている。なお，この共通移載室１０２内の圧力雰囲気の維持は，制御器１３２に接続されていない流量調整バルブによっても行うことができる。この場合には，予め，試験的に流量調整バルブの開度を共通移載室１０２内が所望の圧力雰囲気に維持されるように調整し，処理時にはその流量調整バルブの開度を固定するように構成される。
【００３０】
次いで，ゲートバルブＧ１が閉じられると共に，不図示の駆動機構の駆動によって搬送アーム１１２が作動し，搬送アーム１１２上のウェハＷがゲートバルブＧ２付近にまで水平移動する。このウェハＷの共通移載室１０２内での移動の際，すなわちゲートバルブＧ１〜Ｇ５が全て閉じられている際に，共通移載室１０２内のガスの置換が行われる。すなわち，まず搬送アーム１１２の動作に応じて，制御信号が制御器１３２から開閉バルブ１１６に伝達され，この開閉バルブ１１６が閉じられる。また，真空引き機構Ｐ１２８は，開閉バルブ１１６及び流量調整バルブ１２０の開閉等に関わらず，常時共通移載室１０２内の真空引きを行う構成となっている。従って，共通移載室１０２内の圧力雰囲気は，共通移載室１０２内に満たされているガスを充分に排気することができる圧力雰囲気，例えば０．５Ｐａ以下にまで減圧される構成となっている。その結果，処理時に真空処理室１０４ａ内で生じた例えばＨ2ＯやＨ2等のウェハＷに悪影響を与える物質や，搬送アーム１１２の駆動の際に生じるパーティクル等を，共通移載室１０２内から除去することができる。なお，ガス充填室１１８への不活性ガスの充填は，開閉バルブ１１６が閉じられている間，例えば共通移載室１０２内の真空引きが行われている間に行われる構成となっている。
【００３１】
次いで，共通移載室１０２内の圧力雰囲気が上述の如く０．５Ｐａとなったという情報が，圧力センサ１３０から制御器１３２に伝達される。そして，この情報に応じて制御器１３２から所定のトリガ信号が開閉バルブ１１６に伝達されることにより，開閉バルブ１１６が開放される。その結果，本実施の形態に係るガス充填室１１８内に充填されていた所定の不活性ガスが，瞬時に共通移載室１０２内に供給される構成となっている。従って，共通移載室１０２内の圧力雰囲気は，ウェハＷの次の搬送先である真空処理室１０４ｂ内の圧力雰囲気と実質的に同一，またはその圧力雰囲気よりも実質的に高い圧力雰囲気，例えば１３．３Ｐａにまで昇圧される構成となっている。
【００３２】
なお，本実施の形態は，昇圧後の共通移載室１０２の圧力雰囲気が６６．７Ｐａ以下である場合にのみに適用される構成となっている。従って，仮に共通移載室１０２内に例えばパーティクルが残留していた場合に，上述の如く不活性ガスを共通移載室１０２内に瞬間的に供給しても，パーティクルは重力に逆らって舞い上がることができず，被処理体に対して悪影響を及ぼすことがない。また，ガス供給経路１１４の共通移載室１０２側開口端には，例えばアルミニウムから成り，例えば略メッシュ状の不図示の拡散部材が取り付けられる構成となっている。従って，不活性ガスは，均一に分散しながら共通移載室１０２内に供給されるため，ガス供給経路１１４の共通移載室１０２側開口端付近でも，例えばパーティクルが舞い上がることがない。
【００３３】
次に，本実施の形態に係るガス充填室１１８内に充填される不活性ガスの圧力雰囲気の設定について説明する。開閉バルブ１１６の開放後の共通移載室１０２内の圧力雰囲気を例えば上述の如く１３．３Ｐａ（Ｐ）とし，上記ガス排気時の共通移載室１０２内の圧力雰囲気を例えば上述の如く０．５Ｐａ（Ｐ1）とし，共通移載室１０２内の容積を例えば７．０×１０7ｍｍ3（Ｖ1）とし，ガス充填室１１８内の容積を例えば３．６×１０3ｍｍ3（Ｖ2）とし，不活性ガス充填時のガス充填室１１８内の圧力雰囲気をＰ2とし，Ｖ1＋Ｖ2をＶとする。圧力と容積（体積）とは，
【００３４】
【数１】
0003967424.tif 000002
【００３５】
が成立し，この式４に上述した各数値を代入することにより，Ｐ2は２．４８×１０5Ｐａとなる。なお，本実施の形態においては，この圧力雰囲気は，レギュレータ１２２により設定される構成となっている。
【００３６】
従って，上述の如く構成された真空処理装置１００においては，ガス充填室１１８内に２．４８×１０5Ｐａの圧力雰囲気で不活性ガスを充填することにより，共通移載室１０２内の圧力雰囲気を１３．３Ｐａに昇圧させることができる。なお，上述したガス充填室１１８内に充填される不活性ガスの圧力雰囲気の設定では，ガス充填室１１８から不活性ガスの供給されている場合における共通移載室１０２内の排気については考慮していない。これは，その際の共通移載室１０２内の圧力雰囲気に対する排気による影響が小さいためである。また，開閉バルブ１１６が開放された際に，流量調整バルブ１２０の開放に伴う，ガス供給源１２４からの不活性ガスの供給についても考慮していない。これも上記と同様に，共通移載室１０２内の圧力雰囲気に対する影響が小さいためである。さらに，上述した具体的な各数値は，上記各式を具体的に説明するために挙げたものであり，本実施の形態はそれら各数値に限定されるものではない。従って，本実施の形態を各種装置に適用する場合には，式１が成立するように装置構成が成されれば，本実施の形態を実施することができることは言うまでもない。
【００３７】
再び図２に戻り，圧力センサ１３０から情報に基づいて，制御器１３２は共通移載室１０２内の圧力雰囲気が１３．３Ｐａに維持されるように，開閉バルブ１１６を開放したまま，流量調整バルブ１２０の開度を調整する。同時に，ゲートバルブＧ２が開放されると共に，搬送アーム１１２が作動し，搬送アーム１１２上に載置されているウェハＷが，真空処理室１０４ｂ内に搬入される。この際，真空処理室１０４ｂ内が真空引き機構１１０ｂによって真空引きされている場合でも，流量調整バルブ１２０の開度調整により，共通移載室１０２の圧力雰囲気は，所望の一定状態に維持されるように構成されている。そして，ゲートバルブＧ２が閉じられた後，真空処理室１０４ｂ内で再びウェハＷに対して所定の処理が施されるように構成されている。
【００３８】
また，本実施の形態においては，ウェハＷが共通移載室１０２内を介して，真空処理室１０４ｂ内から真空処理室１０４ｃ内に搬送される際や，真空処理室１０４ｃ内からカセット室１０６ａ又は１０６ｂ内のカセット１０８に搬送される際，またはそのカセット１０８から真空処理室１０４ａ内に搬送される際などにも，上述の如く共通移載室１０２内のガスの置換を行うように構成されている。なお，本実施の形態に係る共通移載室１０２内のガスの置換は，共通移載室１０２内でのウェハＷの移載時に，適宜必要とされる場合のみ実施する構成としても良い。例えば，真空処理室１０４ｂ内でウェハＷに対して所定の処理を施した際に，ウェハＷに悪影響を及ぼす物質がほとんど生成されない場合には，上述したような共通移載室１０２内のガスの置換を行わない構成としても良い。
【００３９】
次に，第１の実施の形態に係る実施例について，図３を参照しながら説明する。同図は，図１及び２に示した真空処理装置１００において，第１の実施の形態で説明した如くガス供給経路１１４にガス充填室１１８を介挿した場合，および従来の装置の如くガス供給経路１１４にガス充填室１１８を介挿しない場合における，共通移載室１０２内の圧力雰囲気の変化及びその昇圧時間を示したものである。また，同図の縦軸には，共通移載室１０２内の圧力（Ｐａ）を示し，横軸には，経過時間（秒）を示した。
【００４０】
ここで，共通移載室１０２内の昇圧後の目標圧力雰囲気は，１３．３Ｐａ（Ｐ）とし，昇圧前，すなわち開閉バルブ１１６の開放前の共通移載室１０２内の圧力雰囲気は，０．５Ｐａとした。また，共通移載室１０２内の容積は，７．０×１０7ｍｍ3とし，ガス供給源１２４からガス供給経路１１４へのＡｒガスの供給圧力は，１．５ｋｇ／ｃｍ2とした。さらに，ガス供給経路１１４にガス充填室１１８を介挿した場合においては，ガス充填室１１８内の容積は，３．６×１０3ｍｍ3とし，Ａｒガス充填時のガス充填室１１８内の圧力雰囲気は，２．４８×１０5Ｐａとした。また，ガス充填室１１８をガス供給経路１１４に介挿しない場合は，ガス充填室１１８のみを取り外し，ガス供給経路１１４を介して開閉バルブ１１６と流量調整バルブ１２０とを直接接続した。そして，共通移載室１０２内の圧力雰囲気は，圧力センサ１３０により連続的に測定した。
【００４１】
まず，共通移載室１０２内の圧力雰囲気は，開閉バルブ１１６が閉じられると，真空引き機構Ｐ１２８の真空引きによって約０．５Ｐａに維持された。そして，図３中の０秒の時に開閉バルブ１１６を開放し，共通移載室１０２内にＡｒガスを供給した。このＡｒガスの供給により，共通移載室１０２内の圧力雰囲気が目標圧力雰囲気である約１３．３Ｐａまで昇圧されたと共に，流量調整バルブ１２０の開度調整により，その約１３．３Ｐａの圧力雰囲気を維持した。
【００４２】
その結果，同図からもわかるように，ガス供給経路１１４にガス充填室１１８を介挿した場合には，開閉バルブ１１６の開放後，約０．２秒で共通移載室１０２内の圧力雰囲気が約１３．３Ｐａにまで昇圧した。一方，ガス供給経路１１４にガス充填室１１８を介挿しなかった場合には，共通移載室１０２内の圧力雰囲気は緩慢に上昇し，約１３．３Ｐａに達するまでに約４．０秒の時間を要した。
【００４３】
従って，ガス充填室１１８を設けた該装置１００では，共通移載室１０２内における減圧時の圧力雰囲気から目標圧力雰囲気に達するまで時間が，従来の装置と比較して約１／２０に短縮された。その結果，第１の実施の形態で説明したように，共通移載室１０２内でのウェハＷの搬送中に共通移載室１０２内のガスを置換する場合には，そのガスの置換に要する時間が大幅に短縮され，すなわち搬送時間が大幅に短縮されるため，スループットの大幅な向上を図ることができる。
【００４４】
次に，第２の実施の形態について，再び図１及び２を参照しながら説明する。例えば，真空処理室１０４ｂから真空処理室１０４ｃへウェハＷを搬送する場合に，真空処理室１０４ｂ内よりも真空処理室１０４ｃの圧力雰囲気の方が実質的に高い場合には，以下のようにして共通移載室１０２内の圧力雰囲気を目標圧力雰囲気にまで昇圧させる構成としても良い。すなわち，まず図１及び２に示したゲートバルブＧ２を開放し，図１中の搬送アーム１１２の作動によりウェハＷを真空処理室１０４ｂ内から共通移載室１０２内に搬送する。この際，図２に示した開閉バルブ１１６及び排気経路１２６に介挿されている不図示のバルブが閉じられる。そして，共通移載室１０２内の圧力雰囲気は，真空処理室１０４ｂ内の圧力雰囲気と実質的に同一に設定されている。
【００４５】
次いで，ゲートバルブＧ２を閉じると共に，搬送アーム１１２の作動によりウェハＷをゲートバルブＧ３方向に移載する。同時に，搬送アーム１１２の動作に応じて，制御器１３２から開閉バルブ１１６に対してトリガ信号が伝達されることにより，開閉バルブ１１６が開放される。そして，この開閉バルブ１１６の開放により，共通移載室１０２内は，瞬時に真空処理室１０４c内の圧力雰囲気と実質的に同一の圧力雰囲気となるように構成されている。また，この際，真空引き機構Ｐ１２８を作動させると共に，制御器１３２からの信号により流量調整バルブ１２０の開度を調整することにより，共通移載室１０２内の圧力雰囲気を一定に維持することができる。
【００４６】
次いで，ゲートバルブＧ３が開放されると共に，搬送アーム１１２の作動によってウェハＷが真空処理室１０４ｃ内に搬送される。この際，例えば，排気経路１２６に介挿されている不図示のバルブの開放によって共通移載室１０２内が真空引きされる場合でも，制御器１３２により流量調整バルブ１２０の開度が調整されるため，共通移載室１０２内の圧力雰囲気は，所望の一定状態に維持される構成となっている。また，真空処理室１０４ｃ内が真空引き機構Ｐ１１０ｃにより真空引きされる場合でも，同様にして共通移載室１０２内は，所望の一定圧力雰囲気に維持される構成となっている。そして，ゲートバルブＧ３が閉じられた後，真空処理室１０４ｃ内でウェハＷに対して所定の処理が施される構成となっている。なお，本実施の形態に係る装置は，第１の実施の形態に係る真空処理装置１００と同一の構成となっている。
【００４７】
次に，第３の実施の形態について，図４を参照しながら説明する。共通移載室１０２に対する本実施の形態に係るガス供給系は，同図に示したよう，共通移載室１０２とレギュレータ１２２との間のガス供給経路１１４に，３つの分岐経路２００ａ，２００ｂ，２００ｃが介挿される構成となっている。そして，これら分岐経路２００ａ，２００ｂ，２００ｃには，それぞれに対応する開閉バルブ２０２ａ，２０２ｂ，２０２ｃ，ガス充填室２０４ａ，２０４ｂ，２０４ｃ及び流量調整バルブ２０６ａ，２０６ｂ，２０６ｃが，共通移載室１０２側から順次介挿される構成となっている。
【００４８】
また，開閉バルブ２０２ａ〜２０２ｃ及び流量調整バルブ２０６ａ〜２０６cは，各々制御器１３２に接続されていると共に，この制御器１３２の制御により，それぞれ独立してバルブの開閉や開度の調整が行われる構成となっている。さらに，ガス充填室２０４ａ〜２０４ｃ以外のガス供給経路２００ａ〜２００ｃ，開閉バルブ２０２ａ〜２０２ｃ及び流量調整バルブ２０６ａ〜２０６ｃは，それぞれ略同一に構成された部材が用いられる構成となっている。さらにまた，ガス供給経路１１４に分岐経路２００ａ〜２００ｃを介挿した以外は，第１及び２の実施の形態で説明した真空処理装置１００（図１及び２を参照。）と同一の構成となっている。
【００４９】
ここで，本実施の形態に係る共通移載室１０２内での圧力雰囲気の昇圧構成について説明する。本実施の形態は，例えば図１に示した真空処理室１０４ａ〜１０４ｃ内及びカセット室１０６ａ，１０６ｂ内の圧力雰囲気が，それぞれ異なっている場合に，特に効果を奏するように構成されている。すなわち，例えば真空処理室１０４ａ，真空処理室１０４ｂ，真空処理室１０４ｃ，カセット室１０６ａ又は１０６ｂの順に，それらの内部の圧力雰囲気の方が高く設定されている場合において，例えば共通移載室１０２内でのウェハＷの搬送中に共通移載室１０２内のガスの置換を行う場合でも，実質的に短時間でそのガスの置換を行うことができる。
【００５０】
例えば，昇圧後に共通移載室１０２内の圧力雰囲気を，真空処理室１０４ｂ，１０４ｃ内，またはカセット室１０６ａ又は１０６ｂ内の圧力雰囲気にまで昇圧可能なように，それぞれに対応するようにガス充填室２０４ａ，２０４ｂ，２０４ｃを構成する。そして，真空処理室１０４ａ内から真空処理室１０４ｂ内へのウェハＷの搬送時において，共通移載室１０２内の圧力雰囲気を昇圧させる際には，制御器１３２からのトリガ信号によって開閉バルブ２０２ａのみが開放され，ガス充填室２０４ａ内に充填されていた不活性ガスが共通移載室１０２内に瞬時に供給される構成となっている。また，この際，制御器１３２の制御により，流量調整バルブ２０６ａの開度が調整され，共通移載室１０２内の圧力雰囲気が所望の一定状態に維持される構成となっている。
【００５１】
同様にして，ウェハＷが真空処理室１０４ｂ内から真空処理室１０４ｃ内へ搬送される際には，制御器１３２により開閉バルブ２０２ｂのみが開放され，真空処理室１０４ｃ内からカセット室１０６ａ又は１０６ｂ内へ搬送される際には，開閉バルブ２０２ｃのみが開放される構成となっている。従って，ウェハＷの搬送先の各室内の圧力雰囲気がすべて異なっている場合において，ウェハＷの搬送時毎に共通移載室１０２内のガスの置換を行う場合でも，共通移載室１０２内の圧力雰囲気を常に所望の状態で，かつ実質的に短時間で昇圧させることができる。
【００５２】
以上，本発明の好適な実施の形態について，添付図面を参照しながら説明したが，本発明はかかる構成に限定されない。特許請求の範囲に記載された技術的思想の範疇において，当業者であれば，各種の変更例及び修正例に想到し得るものであり，それら変更例及び修正例についても本発明の技術的範囲に属するものと了解される。
【００５３】
例えば，上記第１〜３の実施の形態において，搬送アームの動作に応じて制御器から開閉バルブにトリガ信号を伝達し，その開閉バルブを開放する構成を例に挙げて説明したが，本発明はかかる構成に限定されるものではなく，搬送アームの動作とは無関係に，開閉バルブをトリガ信号によって開放する構成としても良い。また，エンコーダや光学センサ等の搬送アームの動作を監視する各種センサを設け，それら各種センサ等からの信号に応じて，開閉バルブを開放する構成としても良い。
【００５４】
また，上記第３の実施の形態において，ガス供給経路に３つの分岐経路を介挿し，かつそれら各分岐経路に開閉バルブ，ガス充填室及び流量調整バルブを介挿した例を挙げて説明したが，本発明はかかる構成に限定されるものではなく，移載室内の圧力雰囲気の昇圧が必要とされる場合に対応して，ガス供給経路に２以上の分岐経路を介挿し，それら各分岐経路に開閉バルブ，対応するガス充填室及び流量調整バルブを介挿する構成としても実施可能である。また，共通移載室それぞれ独立した２以上のガス供給経路を接続すると共に，これら各ガス供給経路のそれぞれに開閉バルブ，ガス充填室，流量調整バルブ及びレギュレータを順次介挿し，かつ各ガス供給経路のそれぞれにガス供給源に接続した構成としても良い。
【００５５】
さらに，上記第１〜３の実施の形態において，開閉バルブ及び流量調整バルブを，ガス充填室を挟んでガス供給経路又は分岐経路に介挿した構成を例に挙げて説明したが，本発明はかかる構成に限定されるものではなく，少なくとも１つのバルブ手段をガス充填室と移載室との間のガス供給系に備えた構成であれば，本発明を実施することができる。
【００５６】
さらにまた，上記第１〜３の実施の形態において，ガス充填室内から共通移載室内に供給する不活性ガスの設定条件が，各容積（体積）と各圧力雰囲気とによって成立する式により求めた例を挙げて説明したが，本発明はかかる構成に限定されるものではなく，それら各容積（体積）及び各圧力雰囲気の条件に加えて，さらに移載室，ガス充填室又はガスの温度等の各温度条件を，移載室内に供給するガスの設定条件に加えても本発明は実施可能である。
【００５７】
また，上記第１〜３実施の形態において，１つの共通移載室に２つのカセット室及び３つの真空処理室を接続した例を挙げて説明したが，本発明はかかる構成に限定されるものではなく，被処理体の処理に応じて構成された，少なくとも１つの移載室と少なくとも１つの真空処理室を備えた真空処理装置であれば，本発明を適用することができる。さらに，本発明は，気密な容器内に形成されたある部屋内を，所定の目標圧力雰囲気にまで昇圧させる場合にも適用することができる。
【００５８】
【発明の効果】
本発明によれば，移載室に接続されているガス供給系に，バルブ手段を介してガス充填室を介挿したため，所定のトリガ信号によるバルブ手段の開放のみで，ガス充填室内に待機していた所定のガスを瞬時に移載室内に供給することができる。従って，移載室内の圧力雰囲気が，所定の目標圧力雰囲気にまで昇圧するまでに要する時間を，大幅に短縮することができる。さらに，ガス充填室内に充填するガスは，目標圧力雰囲気だけではなく所定の目標時間に応じて設定することができるため，要求される時間内に移載室内の圧力雰囲気を目標雰囲気にまで昇圧させることができる。
【００５９】
また，ガス供給系には，複数のバルブを介して，それぞれ異なる所定のガスを充填可能な複数のガス充填室を備えることができるため，要求される目標圧力雰囲気に応じてそれら複数のガス充填室を適宜選択することができる。その結果，常に所望の状態のガスを移載室内に供給することができるため，移載室内をさらに実質的に短時間で目標圧力雰囲気にまで昇圧させることができる。さらに，それら複数のガス充填室は，目標圧力雰囲気だけではなく目標時間に応じて選択することができるため，要求される時間内に移載室内の圧力雰囲気を昇圧させることができる。さらにまた，それら複数のガス充填室は，バルブ手段の切り替えにより選択されるため，容易かつ確実に所望の状態のガスを移載室内に供給することができる。
【００６０】
また，目標時間は，搬送アームの動作に応じて決定することができるため，例えば搬送アームの作動時のみで，移載室内の圧力雰囲気の昇圧を行うことができる。さらに，目標圧力雰囲気は，６６．７Ｐａ以下に設定されているため，移載室内に例えばパーティクルが存在していた場合でも，そのパーティクルを巻き上げることなく，移載室内の圧力雰囲気を昇圧させることができる。そして，移載室内が所定の圧力雰囲気に達した時点で，移載室内に所定の量の圧力調整用ガスを供給することができるため，その昇圧後の圧力雰囲気を所望の一定状態に維持することができる。
【図面の簡単な説明】
【図１】本発明を適用可能な真空処理装置を示した概略的な説明図である。
【図２】図１に示した真空処理装置のガス供給系及びガス排気系を表した概略的な説明図である。
【図３】第１の実施の形態に係る実施例を説明するための概略的な説明図である。
【図４】第３の実施の形態に係るガス供給系を表した概略的な説明図である。
【符号の説明】
１００      真空処理装置
１０２      共通移載室
１０４ａ〜１０４ｃ      真空処理室
１１２      搬送アーム
１１４      ガス供給経路
１１６      開閉バルブ
１１８      ガス充填室
１２０      流量調整バルブ
１２４      ガス供給源
１２６      ガス排気経路
１２８      真空引き機構
１３０      圧力センサ
１３２      制御器
Ｗ        ウェハ
【図１】
0003967424.tif 000003
【図２】
0003967424.tif 000004
【図３】
0003967424.tif 000005
【図４】
0003967424.tif 000006